(57)【要約】　　　（修正有）【課題】汚水中に浮遊するスカムが、簡単な方法で、駆動スプロケットホイールや駆動チェン等の駆動側に付着しないようにし、かつ簡易に装脱着して組み立て、解体を行うことができるようにした汚泥掻寄機を提供する。【解決手段】汚水処理槽１内に張架したエンドレス状のチェンＣの駆動スプロケットホイール５及びこれに張架した駆動チェン４の外周部を覆うようにスカム付着防止カバー６を取り付ける。【選択図】　図４
0003097199.tif 000002
【実用新案登録請求の範囲】
【請求項１】
汚水処理槽内に、槽底及び水面に沿って移動するよう張架したエンドレス状のチェンに、所定間隔でスクレーパを取り付け、モータにより駆動される駆動チェン及び駆動スプロケットホイールを介して駆動することにより、前記チェンを循環駆動し、往路側の槽底に摺接する位置にあるスクレーパによって、沈降した汚泥を汚泥ピット側に掻き寄せ、集泥するとともに、復路側の水面位置にあるスクレーパによって、水面に浮遊するスカムをスカムスキマ側に掻き寄せ、排出するように構成した汚泥掻寄機において、駆動スプロケットホイール及びこれに張架した駆動チェンの外周部を覆うようにスカム付着防止カバーを取り付けたことを特徴とする汚泥掻寄機のスカム付着防止カバー。
【請求項２】
汚水処理槽内に、槽底及び水面に沿って移動するよう張架したエンドレス状のチェンに、所定間隔でスクレーパを取り付け、モータにより駆動される駆動チェン及び駆動スプロケットホイールを介して駆動することにより、前記チェンを循環駆動し、往路側の槽底に摺接する位置にあるスクレーパによって、沈降した汚泥を汚泥ピット側に掻き寄せ、集泥するとともに、復路側の水面位置にあるスクレーパによって、水面に浮遊するスカムをスカムスキマ側に掻き寄せ、排出するように構成した汚泥掻寄機において、駆動スプロケットホイール及びこれに張架した駆動チェンの外周部を覆うようにスカム付着防止カバーを取り付けるとともに、該カバーを３分割可能に構成したことを特徴とする汚泥掻寄機のスカム付着防止カバー。
【請求項３】
カバーに、シールを配設したことを特徴とする請求項１又は２記載の汚泥掻寄機のスカム付着防止カバー。
【考案の詳細な説明】
【０００１】
【考案の属する技術分野】
本考案は、汚泥掻寄機のスカム付着防止カバーに関し、特に、モータにより駆動される駆動スプロケットホイールや駆動チェンに、スカムが付着しないようにした汚泥掻寄機のスカム付着防止カバーに関するものである。
【０００２】
【従来の技術】
従来、汚泥掻寄機（沈砂を対象とする沈砂掻寄機を含み、本明細書において、単に、「汚泥掻寄機」という。）は、一般には、図４に示すように、片端に沈降した汚泥を掻き集めて一時貯留する汚泥ピットＰを備えた汚水処理槽１内に、槽底１１及び水面に沿って移動するエンドレス状のチェンＣを張架し、このチェンＣに所定間隔でスクレーパＳを取り付け、モータＭより駆動チェン及び駆動スプロケットホイールを介して駆動することにより、スクレーパＳを取り付けたチェンＣを循環駆動し、往路側の槽底に摺接する位置にあるスクレーパＳによって、沈降した汚泥を掻き寄せ、汚泥ピットＰ内に集泥するとともに、復路側の水面位置にあるスクレーパＳによって、水面に浮遊するスカムを掻き寄せ、スカムスキマＫを介して排出するようにしている。
【０００３】
【考案が解決しようとする課題】
ところで、従来の汚泥掻寄機は、汚水中にエンドレス状のチェンＣを張架し、該チェンＣに取り付けたスクレーパＳを、チェンＣの往路側において槽底に摺接し、沈降した汚泥を掻き寄せるように、また復路側において水面に浮遊するスカムを掻き寄せるようチェンＣを循環駆動するように構成しているため、該チェンＣを張架したガイドスプロケットホイールと隣接し、同軸上に配設した駆動スプロケットホイール及びこれに張架した駆動チェン等の駆動部が、必然的に汚水中に位置することとなり、水中に浮遊するスカムが、駆動側スプロケットホイールや駆動チェン、及びその周辺部に付着、堆積し、これが部品の腐食及び／又は摩耗したり、異臭発生の原因等になり、装置の耐久性が低く、さらには駆動側スプロケットホイールや駆動チェン等の付着スカムの清掃除去などのメンテナンスに時間と費用がかかるという問題があった。
【０００４】
本考案は、上記従来の汚泥掻寄機の有する問題点に鑑み、汚水中に浮遊するスカムが、簡単な方法で、駆動スプロケットホイールや駆動チェン等の駆動側に付着しないようにし、かつ簡易に装脱着して組み立て、解体を行うことができるようにした汚泥掻寄機のスカム付着防止カバーを提供することを目的とする。
【０００５】
【課題を解決するための手段】
上記目的を達成するため、本考案の汚泥掻寄機のスカム付着防止カバーは、汚水処理槽内に、槽底及び水面に沿って移動するよう張架したエンドレス状のチェンに、所定間隔でスクレーパを取り付け、モータにより駆動される駆動チェン及び駆動スプロケットホイールを介して駆動することにより、前記チェンを循環駆動し、往路側の槽底に摺接する位置にあるスクレーパによって、沈降した汚泥を汚泥ピット側に掻き寄せ、集泥するとともに、復路側の水面位置にあるスクレーパによって、水面に浮遊するスカムをスカムスキマ側に掻き寄せ、排出するように構成した汚泥掻寄機において、駆動スプロケットホイール及びこれに張架した駆動チェンの外周部を覆うように付着防止カバーを取り付けたことを特徴とする。
【０００６】
この汚泥掻寄機のスカム付着防止カバーは、駆動スプロケットホイール及びこれに張架した駆動チェンの外周部を覆うようにしてスカム付着防止カバーを装着しているから、水中に浮遊するスカムが、スクレーパの移動軌跡に沿って移動することにより共に移動するようになっても、該スクレーパの移動軌跡の一部に隣接して配置された駆動スプロケットホイール及び駆動チェンとの直接的な接触が阻止されるため、スカムが駆動スプロケットホイールや駆動チェンに付着することがなく、これにより部品の腐食及び／又は摩耗、さらには異臭発生をも防止でき、また駆動スプロケットホイールや駆動チェンのメンテナンスが簡易に行うことができる。
【０００７】
この場合において、汚水処理槽内に、槽底及び水面に沿って移動するよう張架したエンドレス状のチェンに、所定間隔でスクレーパを取り付け、モータにより駆動される駆動チェン及び駆動スプロケットホイールを介して駆動することにより、前記チェンを循環駆動し、往路側の槽底に摺接する位置にあるスクレーパによって、沈降した汚泥を汚泥ピット側に掻き寄せ、集泥するとともに、復路側の水面位置にあるスクレーパによって、水面に浮遊するスカムをスカムスキマ側に掻き寄せ、排出するように構成した汚泥掻寄機において、駆動スプロケットホイール及びこれに張架した駆動チェンの外周部を覆うようにスカム付着防止カバーを取り付けるとともに、該カバーを３分割可能に構成したことを特徴とする。
【０００８】
これにより、駆動スプロケットホイール及びこれに張架した駆動チェンの外周部を覆うようにしてスカム付着防止カバーを装着しているから、水中に浮遊するスカムが、スクレーパの移動軌跡に沿って移動することにより共に移動するようになっても、該スクレーパの移動軌跡の一部に隣接して配置された駆動スプロケットホイール及び駆動チェンとの直接的な接触が阻止されるため、スカムが駆動スプロケットホイールや駆動チェンに付着することがなく、これにより部品の腐食及び／又は摩耗、さらには異臭発生をも防止でき、また駆動スプロケットホイール及びこれに張架した駆動チェンの外周部を覆うように取り付けたスカム付着防止カバーを、３分割できるように構成しているから、駆動スプロケットホイール部分への取り付け、取り外しが簡易に行え、メンテナンスが簡易となり、該カバーに取り付けたシールや、駆動スプロケットホイール及びこれに張架した駆動チェンの交換が簡易に行うことができる。
【０００９】
また、この場合において、カバーに、シールを配設することができる。
【００１０】
これにより、カバーにシールを配設しているから、カバーの軸孔より突出する駆動軸との隙間から、スカムがカバー内へ浸入するのを簡単な構成で防止することができる。
【００１１】
【考案の実施の形態】
以下、本考案の汚泥掻寄機のスカム付着防止カバーの実施の形態を図面に基づいて説明する。
【００１２】
図１〜図４に、本考案の汚泥掻寄機のスカム付着防止カバーの実施例を示す。
図において１は、汚水処理槽で、この汚水処理槽１には、その一端側から汚水が導入されるとともに、この汚水供給側の底部に汚泥引抜管２を有する汚泥ピットＰを備え、槽底１１には、好ましくは、汚水処理槽１を清掃する際、汚水が汚泥ピットＰに流入し易いように、汚泥ピットＰ側が低くなるように傾斜して形成するようにする。
なお、汚泥ピットＰ内に集泥された汚泥は、汚泥引抜管２にて汚水処理槽１外に引き抜き、排出するようにしている。
【００１３】
また、汚水処理槽１には、汚水処理槽１に導入された汚水に含まれるスカム分が分離して浮遊する位置、例えば、汚水処理槽１のほぼ中央付近の水面にスカムスキマＫを配設して、水面に浮遊するスカムを汚水処理槽１外に排出するとともに、スカムスキマＫの後方の水面に流出樋３を配設して、汚泥を沈降分離し、かつスカムを除去した後の汚水を汚水処理槽１外に排出するように構成し、さらに槽底１１に沈降した汚泥を、掻き寄せ、汚泥ピットＰに集泥し、かつ水面に浮遊するスカムをスカムスキマＫ側へ掻き寄せ、排出する汚泥掻寄機Ａを配置して構成する。
【００１４】
この汚泥掻寄機Ａは、汚水処理槽１内に、槽底１１及び水面に沿って移動するよう配設されたガイドスプロケットホイールＧ１、Ｇ２、Ｇ３・・・Ｇｎに、エンドレス状のチェンＣを張架し、このチェンＣに所定間隔でスクレーパＳを取り付け、モータＭより駆動チェン４及び駆動スプロケットホイール５を介して該駆動スプロケットホイール５と同軸上に取り付けたガイドスプロケットホイールＧｎを駆動することにより、スクレーパＳを取り付けたチェンＣをその移動軌跡に沿って循環駆動し、往路側の槽底に摺接する位置にあるスクレーパＳによって、沈降した汚泥を掻き寄せ、汚泥ピットＰ内に集泥するとともに、復路側の水面位置にあるスクレーパＳによって、水面に浮遊するスカムを掻き寄せ、スカムスキマＫを介して排出するようにしている。
【００１５】
駆動スプロケットホイール５及びこれに張架した駆動チェン４には、その外周部を覆い、かつスカムが付着しないようにスカム付着防止カバー６を取り付けるとともに、該スカム付着防止カバー６を３分割可能に、駆動スプロケットホイール５のほぼ半周に亘る外周部とその側面を覆うようにした半円弧形カバー片６１と、この半円弧形カバー片６１の端部に隣接するようにして配設し、かつ上下に対設するようにする上カバー片６２と下カバー片６３とより構成する。
また、半円弧形カバー片６１の開口側端部に、フランジ６１ｆを、上カバー片６２と下カバー片６３には、この半円弧形カバー片６１のフランジ６１ｆと対向する側に、それぞれフランジ６２ｆ、６３ｆと、上下に対設する側にもフランジ６２ｇ、６３ｇを形成する。これにより、３分割された半円弧形カバー片６１と、上カバー片６２と下カバー片６３とを互いに所定位置で突き合わせることにより、それぞれ対向するフランジ６１ｆとフランジ６２ｆ、６３ｆ及びフランジ６２ｇ、６３ｇを対峙させ、この対峙するフランジ間をビス又はボルト等の締結具６５にて、組み立て、分解可能に固定するようにする。
【００１６】
また、このスカム付着防止カバー６には、内部に収納されるようになる駆動チェン４を張架した駆動スプロケットホイール５の軸５Ｓを貫通するための軸孔６４を穿設する。これは、軸５Ｓの位置に応じて形成されるもので、特に限定されるものではないが、例えば、３分割される３つの半円弧形カバー片６１、上カバー片６２、下カバー片６３の突き合わせ部に当たる場合、これらの各カバー片６１、上カバー片６２、下カバー片６３にそれぞれ円弧形の軸孔６を形成し、３つのカバー片を組み合わせたとき、１つの軸孔６４が形成されるようにする。
【００１７】
また、スカム付着防止カバー６には、水面に浮遊するスカムのスカム付着防止カバー６内への浸入を阻止するため、スカム付着防止カバー６の側面に、詳しくは軸孔６４の外周部を囲むようにしてドーナツ形のシール７を配設し、シール止め７１をスカム付着防止カバー６にビス止めして固定するようにする。
これにより、軸孔６４内を貫通する軸５Ｓの外周部には隙間が生じないようにし、軸５Ｓは円滑に回転するも、スカムの浸入は阻止されるようにする。
【００１８】
また、このように３分割可能に構成されるスカム付着防止カバー６を、駆動チェン４を張架した駆動スプロケットホイール５の外周部を覆うようにして取り付ける際、該スカム付着防止カバー６は、特に限定されるものでないが、汚水処理槽１の内壁Ｗに突設固定したブラケットＢ、Ｂ、Ｂの３点位置にて支持するようにする。この各ブラケットＢは、汚水処理槽１の内壁Ｗより突設し、この先端にスカム付着防止カバー６を固定することにより取り付ける。
【００１９】
また、このスカム付着防止カバー６には、詳しくは上下に対向する上カバー片６２、下カバー片６３の上方開口部に、またスラブの開口部の下面でスラブ下面に接するようにゴム板８を配設する。これにより、スカム付着防止カバー６の装着時、スラブ下面とスカム付着防止カバー６との直接接触を防いで振動による騒音、摩耗を未然に防止するようにする。
このゴム板８は、図１（Ｂ）に示すように、上カバー片６２、下カバー片６３の上方開口部を囲周するように配設し、留め具８１にて固定するとともに、このゴム板８の上端を、上カバー片６２、下カバー片６３の上方開口部上端より突出させ、これによりスラブ下面にはゴム板８の上端が接触するようにする。
【００２０】
以下、この汚泥掻寄機及びスカム付着防止カバーの作用について説明する。
汚水処理槽１内に流入した汚水は、その下流方向へ流下するとき、重力分離が行われて、汚泥分は沈降する。このとき、比重の大きいものは速く沈降するため、比重の大きいものから順次汚水処理槽の上流側から下流側の槽底１１に沈降する。この槽底１１に沈降する汚泥は、汚泥掻寄機Ａの駆動によりスクレーパＳによって汚泥ピットＰ側へ掻き寄せ、集泥されて汚泥引抜管２にて汚水処理槽１外に引き抜き、排出される。
一方、スカム分は水面に浮遊し、汚泥分、スカム分が分離除去された汚水は、流出樋３から排出されるとともに、復路側で水面位置を移動するスクレーパＳによって水面に浮遊するスカムは掻き寄せられ、スカムスキマＫを介して外部へ排出される。
【００２１】
このように、汚泥掻寄機Ａの駆動により水面に浮遊するスカムは掻き寄せられるが、この一部はスクレーパＳの端部より離れ、汚水処理槽１の壁面側に移動することがある。このとき、駆動チェン４を張架した駆動スプロケットホイール５の外部は、スカム付着防止カバー６により完全に覆われているため、浮遊するスカムはスカム付着防止カバー６の外表面に付着しても、カバー内の駆動チェン４や、該駆動チェン４を張架した駆動スプロケットホイール５に付着するのを防止することができる。
また、このスカム付着防止カバー６にはシール７を介して軸５Ｓを突出するようにしているが、水密的ではないので、スカム付着防止カバー６にスカムは濾過された水が浸入するようになって、このスカム付着防止カバー６内への水循環により駆動チェン４と駆動スプロケットホイール５との噛み合わせによる金属騒音の発生も防止することができる。
また、スカム付着防止カバー６は、３分割できるようになっているので、簡単に駆動スプロケットホイール５を覆うようにしての取り付け、取り外しが簡易に行うことができるとともに、シール７や駆動チェン４の交換も簡易に行うことができる。
【００２２】
【考案の効果】
本考案の汚泥掻寄機のスカム付着防止カバーによれば、駆動スプロケットホイール及びこれに張架した駆動チェンの外周部を覆うようにしてスカム付着防止カバーを装着しているから、水中に浮遊するスカムが、スクレーパの移動軌跡に沿って移動することにより共に移動するようになっても、該スクレーパの移動軌跡の一部に隣接して配置された駆動スプロケットホイール及び駆動チェンとの直接的な接触が阻止されるため、スカムが駆動スプロケットホイールや駆動チェンに付着することがなく、これにより部品の腐食及び／又は摩耗、さらには異臭発生をも防止でき、また駆動スプロケットホイールや駆動チェンのメンテナンスが簡易に行うことができる。
【００２３】
本考案の汚泥掻寄機のスカム付着防止カバーによれば、駆動スプロケットホイール及びこれに張架した駆動チェンの外周部を覆うようにしてスカム付着防止カバーを装着しているから、水中に浮遊するスカムが、スクレーパの移動軌跡に沿って移動することにより共に移動するようになっても、該スクレーパの移動軌跡の一部に隣接して配置された駆動スプロケットホイール及び駆動チェンとの直接的な接触が阻止されるため、スカムが駆動スプロケットホイールや駆動チェンに付着することがなく、これにより部品の腐食及び／又は摩耗、さらには異臭発生をも防止でき、また駆動スプロケットホイール及びこれに張架した駆動チェンの外周部を覆うように取り付けたスカム付着防止カバーを、３分割できるように構成しているから、駆動スプロケットホイール部分への取り付け、取り外しが簡易に行え、メンテナンスが簡易となり、該カバーに取り付けたシールや、駆動スプロケットホイール及びこれに張架した駆動チェンの交換を簡易に行うことができる。
【００２４】
また、この場合、カバーにシールを配設しているから、カバーより突出する駆動軸との隙間から、スカムがカバー内へ浸入するのを簡単な構成で防止することができる。
【図面の簡単な説明】
【図１】本考案の汚泥掻寄機のスカム付着防止カバーを示し、（Ａ）は正面図、（Ｂ）は平面図である。
【図２】スカム付着防止カバーの一部破断した側面図である。
【図３】スカム付着防止カバーの分解した正面図で、（Ａ）は上カバー片を、（Ｂ）は下カバー片を、（Ｃ）は半円弧形カバー片をそれぞれ示す。
【図４】本考案の汚泥掻寄機を適用した汚水処理槽の全形を示す正面図である。
【符号の説明】
１　　汚水処理槽
１１　槽底
２　　汚泥引抜管
３　　流出樋
４　　駆動チェン
５　　駆動スプロケットホイール
５Ｓ　軸
６　　スカム付着防止カバー
６１　半円弧形カバー片
６２　上カバー片
６３　下カバー片
７　　シール
８　　ゴム板
Ａ　　汚泥掻寄機
Ｃ　　エンドレス状のチェン
Ｓ　　スクレーパ
Ｐ　　汚泥ピット
Ｋ　　スカムスキマ
【図１】
0003097199.tif 000003
【図２】
0003097199.tif 000004
【図３】
0003097199.tif 000005
【図４】
0003097199.tif 000006
【手続補正書】
【提出日】平成15年5月19日(2003.5.19)
【手続補正１】
【補正対象書類名】明細書
【補正対象項目名】全文
【補正方法】変更
【補正の内容】
【考案の詳細な説明】
【実用新案登録請求の範囲】
【請求項１】汚水処理槽内に、槽底及び水面に沿って移動するよう張架したエンドレス状のチェンに、所定間隔でスクレーパを取り付け、モータにより駆動される駆動チェン及び駆動スプロケットホイールを介して駆動することにより、前記チェンを循環駆動し、往路側の槽底に摺接する位置にあるスクレーパによって、沈降した汚泥を汚泥ピット側に掻き寄せ、集泥するとともに、復路側の水面位置にあるスクレーパによって、水面に浮遊するスカムをスカムスキマ側に掻き寄せ、排出するように構成した汚泥掻寄機において、駆動スプロケットホイール及びこれに張架した駆動チェンの外周部を覆うようにスカム付着防止カバーを取り付けたことを特徴とする汚泥掻寄機。
【請求項２】汚水処理槽内に、槽底及び水面に沿って移動するよう張架したエンドレス状のチェンに、所定間隔でスクレーパを取り付け、モータにより駆動される駆動チェン及び駆動スプロケットホイールを介して駆動することにより、前記チェンを循環駆動し、往路側の槽底に摺接する位置にあるスクレーパによって、沈降した汚泥を汚泥ピット側に掻き寄せ、集泥するとともに、復路側の水面位置にあるスクレーパによって、水面に浮遊するスカムをスカムスキマ側に掻き寄せ、排出するように構成した汚泥掻寄機において、駆動スプロケットホイール及びこれに張架した駆動チェンの外周部を覆うようにスカム付着防止カバーを取り付けるとともに、該カバーを３分割可能に構成したことを特徴とする汚泥掻寄機。
【請求項３】カバーに、シールを配設したことを特徴とする請求項１又は２記載の汚泥掻寄機。
【考案の詳細な説明】
【０００１】
【考案の属する技術分野】
本考案は、汚泥掻寄機に関し、特に、モータにより駆動される駆動スプロケットホイールや駆動チェンに、スカムが付着しないようにした汚泥掻寄機に関するものである。
【０００２】
【従来の技術】
従来、汚泥掻寄機（沈砂を対象とする沈砂掻寄機を含み、本明細書において、単に、「汚泥掻寄機」という。）は、一般には、図４に示すように、片端に沈降した汚泥を掻き集めて一時貯留する汚泥ピットＰを備えた汚水処理槽１内に、槽底１１及び水面に沿って移動するエンドレス状のチェンＣを張架し、このチェンＣに所定間隔でスクレーパＳを取り付け、モータＭより駆動チェン及び駆動スプロケットホイールを介して駆動することにより、スクレーパＳを取り付けたチェンＣを循環駆動し、往路側の槽底に摺接する位置にあるスクレーパＳによって、沈降した汚泥を掻き寄せ、汚泥ピットＰ内に集泥するとともに、復路側の水面位置にあるスクレーパＳによって、水面に浮遊するスカムを掻き寄せ、スカムスキマＫを介して排出するようにしている。
【０００３】
【考案が解決しようとする課題】
ところで、従来の汚泥掻寄機は、汚水中にエンドレス状のチェンＣを張架し、該チェンＣに取り付けたスクレーパＳを、チェンＣの往路側において槽底に摺接し、沈降した汚泥を掻き寄せるように、また復路側において水面に浮遊するスカムを掻き寄せるようチェンＣを循環駆動するように構成しているため、該チェンＣを張架したガイドスプロケットホイールと隣接し、同軸上に配設した駆動スプロケットホイール及びこれに張架した駆動チェン等の駆動部が、必然的に汚水中に位置することとなり、水中に浮遊するスカムが、駆動側スプロケットホイールや駆動チェン、及びその周辺部に付着、堆積し、これが部品の腐食及び／又は摩耗したり、異臭発生の原因等になり、装置の耐久性が低く、さらには駆動側スプロケットホイールや駆動チェン等の付着スカムの清掃除去などのメンテナンスに時間と費用がかかるという問題があった。
【０００４】
本考案は、上記従来の汚泥掻寄機の有する問題点に鑑み、汚水中に浮遊するスカムが、簡単な方法で、駆動スプロケットホイールや駆動チェン等の駆動側に付着しないようにし、かつ簡易に装脱着して組み立て、解体を行うことができるようにした汚泥掻寄機を提供することを目的とする。
【０００５】
【課題を解決するための手段】
上記目的を達成するため、本考案の汚泥掻寄機は、汚水処理槽内に、槽底及び水面に沿って移動するよう張架したエンドレス状のチェンに、所定間隔でスクレーパを取り付け、モータにより駆動される駆動チェン及び駆動スプロケットホイールを介して駆動することにより、前記チェンを循環駆動し、往路側の槽底に摺接する位置にあるスクレーパによって、沈降した汚泥を汚泥ピット側に掻き寄せ、集泥するとともに、復路側の水面位置にあるスクレーパによって、水面に浮遊するスカムをスカムスキマ側に掻き寄せ、排出するように構成した汚泥掻寄機において、駆動スプロケットホイール及びこれに張架した駆動チェンの外周部を覆うように付着防止カバーを取り付けたことを特徴とする。
【０００６】
この汚泥掻寄機は、駆動スプロケットホイール及びこれに張架した駆動チェンの外周部を覆うようにしてスカム付着防止カバーを装着しているから、水中に浮遊するスカムが、スクレーパの移動軌跡に沿って移動することにより共に移動するようになっても、該スクレーパの移動軌跡の一部に隣接して配置された駆動スプロケットホイール及び駆動チェンとの直接的な接触が阻止されるため、スカムが駆動スプロケットホイールや駆動チェンに付着することがなく、これにより部品の腐食及び／又は摩耗、さらには異臭発生をも防止でき、また駆動スプロケットホイールや駆動チェンのメンテナンスが簡易に行うことができる。
【０００７】
また、本考案の汚泥掻寄機は、汚水処理槽内に、槽底及び水面に沿って移動するよう張架したエンドレス状のチェンに、所定間隔でスクレーパを取り付け、モータにより駆動される駆動チェン及び駆動スプロケットホイールを介して駆動することにより、前記チェンを循環駆動し、往路側の槽底に摺接する位置にあるスクレーパによって、沈降した汚泥を汚泥ピット側に掻き寄せ、集泥するとともに、復路側の水面位置にあるスクレーパによって、水面に浮遊するスカムをスカムスキマ側に掻き寄せ、排出するように構成した汚泥掻寄機において、駆動スプロケットホイール及びこれに張架した駆動チェンの外周部を覆うようにスカム付着防止カバーを取り付けるとともに、該カバーを３分割可能に構成したことを特徴とする。
【０００８】
この汚泥掻寄機は、駆動スプロケットホイール及びこれに張架した駆動チェンの外周部を覆うようにしてスカム付着防止カバーを装着しているから、水中に浮遊するスカムが、スクレーパの移動軌跡に沿って移動することにより共に移動するようになっても、該スクレーパの移動軌跡の一部に隣接して配置された駆動スプロケットホイール及び駆動チェンとの直接的な接触が阻止されるため、スカムが駆動スプロケットホイールや駆動チェンに付着することがなく、これにより部品の腐食及び／又は摩耗、さらには異臭発生をも防止でき、また駆動スプロケットホイール及びこれに張架した駆動チェンの外周部を覆うように取り付けたスカム付着防止カバーを、３分割できるように構成しているから、駆動スプロケットホイール部分への取り付け、取り外しが簡易に行え、メンテナンスが簡易となり、該カバーに取り付けたシールや、駆動スプロケットホイール及びこれに張架した駆動チェンの交換が簡易に行うことができる。
【０００９】
また、この場合において、カバーに、シールを配設することができる。
【００１０】
これにより、カバーにシールを配設しているから、カバーの軸孔より突出する駆動軸との隙間から、スカムがカバー内へ浸入するのを簡単な構成で防止することができる。
【００１１】
【考案の実施の形態】
以下、本考案の汚泥掻寄機の実施の形態を図面に基づいて説明する。
【００１２】
図１〜図４に、本考案の汚泥掻寄機の実施例を示す。
図において１は、汚水処理槽で、この汚水処理槽１には、その一端側から汚水が導入されるとともに、この汚水供給側の底部に汚泥引抜管２を有する汚泥ピットＰを備え、槽底１１には、好ましくは、汚水処理槽１を清掃する際、汚水が汚泥ピットＰに流入し易いように、汚泥ピットＰ側が低くなるように傾斜して形成するようにする。
なお、汚泥ピットＰ内に集泥された汚泥は、汚泥引抜管２にて汚水処理槽１外に引き抜き、排出するようにしている。
【００１３】
また、汚水処理槽１には、汚水処理槽１に導入された汚水に含まれるスカム分が分離して浮遊する位置、例えば、汚水処理槽１のほぼ中央付近の水面にスカムスキマＫを配設して、水面に浮遊するスカムを汚水処理槽１外に排出するとともに、スカムスキマＫの後方の水面に流出樋３を配設して、汚泥を沈降分離し、かつスカムを除去した後の汚水を汚水処理槽１外に排出するように構成し、さらに槽底１１に沈降した汚泥を、掻き寄せ、汚泥ピットＰに集泥し、かつ水面に浮遊するスカムをスカムスキマＫ側へ掻き寄せ、排出する汚泥掻寄機Ａを配置して構成する。
【００１４】
この汚泥掻寄機Ａは、汚水処理槽１内に、槽底１１及び水面に沿って移動するよう配設されたガイドスプロケットホイールＧ１、Ｇ２、Ｇ３・・・Ｇｎに、エンドレス状のチェンＣを張架し、このチェンＣに所定間隔でスクレーパＳを取り付け、モータＭより駆動チェン４及び駆動スプロケットホイール５を介して該駆動スプロケットホイール５と同軸上に取り付けたガイドスプロケットホイールＧｎを駆動することにより、スクレーパＳを取り付けたチェンＣをその移動軌跡に沿って循環駆動し、往路側の槽底に摺接する位置にあるスクレーパＳによって、沈降した汚泥を掻き寄せ、汚泥ピットＰ内に集泥するとともに、復路側の水面位置にあるスクレーパＳによって、水面に浮遊するスカムを掻き寄せ、スカムスキマＫを介して排出するようにしている。
【００１５】
駆動スプロケットホイール５及びこれに張架した駆動チェン４には、その外周部を覆い、かつスカムが付着しないようにスカム付着防止カバー６を取り付けるとともに、該スカム付着防止カバー６を３分割可能に、駆動スプロケットホイール５のほぼ半周に亘る外周部とその側面を覆うようにした半円弧形カバー片６１と、この半円弧形カバー片６１の端部に隣接するようにして配設し、かつ上下に対設するようにする上カバー片６２と下カバー片６３とより構成する。
また、半円弧形カバー片６１の開口側端部に、フランジ６１ｆを、上カバー片６２と下カバー片６３には、この半円弧形カバー片６１のフランジ６１ｆと対向する側に、それぞれフランジ６２ｆ、６３ｆと、上下に対設する側にもフランジ６２ｇ、６３ｇを形成する。これにより、３分割された半円弧形カバー片６１と、上カバー片６２と下カバー片６３とを互いに所定位置で突き合わせることにより、それぞれ対向するフランジ６１ｆとフランジ６２ｆ、６３ｆ及びフランジ６２ｇ、６３ｇを対峙させ、この対峙するフランジ間をビス又はボルト等の締結具６５にて、組み立て、分解可能に固定するようにする。
【００１６】
また、このスカム付着防止カバー６には、内部に収納されるようになる駆動チェン４を張架した駆動スプロケットホイール５の軸５Ｓを貫通するための軸孔６４を穿設する。これは、軸５Ｓの位置に応じて形成されるもので、特に限定されるものではないが、例えば、３分割される３つの半円弧形カバー片６１、上カバー片６２、下カバー片６３の突き合わせ部に当たる場合、これらの各カバー片６１、上カバー片６２、下カバー片６３にそれぞれ円弧形の軸孔６を形成し、３つのカバー片を組み合わせたとき、１つの軸孔６４が形成されるようにする。
【００１７】
また、スカム付着防止カバー６には、水面に浮遊するスカムのスカム付着防止カバー６内への浸入を阻止するため、スカム付着防止カバー６の側面に、詳しくは軸孔６４の外周部を囲むようにしてドーナツ形のシール７を配設し、シール止め７１をスカム付着防止カバー６にビス止めして固定するようにする。
これにより、軸孔６４内を貫通する軸５Ｓの外周部には隙間が生じないようにし、軸５Ｓは円滑に回転するも、スカムの浸入は阻止されるようにする。
【００１８】
また、このように３分割可能に構成されるスカム付着防止カバー６を、駆動チェン４を張架した駆動スプロケットホイール５の外周部を覆うようにして取り付ける際、該スカム付着防止カバー６は、特に限定されるものでないが、汚水処理槽１の内壁Ｗに突設固定したブラケットＢ、Ｂ、Ｂの３点位置にて支持するようにする。この各ブラケットＢは、汚水処理槽１の内壁Ｗより突設し、この先端にスカム付着防止カバー６を固定することにより取り付ける。
【００１９】
また、このスカム付着防止カバー６には、詳しくは上下に対向する上カバー片６２、下カバー片６３の上方開口部に、またスラブの開口部の下面でスラブ下面に接するようにゴム板８を配設する。これにより、スカム付着防止カバー６の装着時、スラブ下面とスカム付着防止カバー６との直接接触を防いで振動による騒音、摩耗を未然に防止するようにする。
このゴム板８は、図１（Ｂ）に示すように、上カバー片６２、下カバー片６３の上方開口部を囲周するように配設し、留め具８１にて固定するとともに、このゴム板８の上端を、上カバー片６２、下カバー片６３の上方開口部上端より突出させ、これによりスラブ下面にはゴム板８の上端が接触するようにする。
【００２０】
以下、この汚泥掻寄機の作用について説明する。
汚水処理槽１内に流入した汚水は、その下流方向へ流下するとき、重力分離が行われて、汚泥分は沈降する。このとき、比重の大きいものは速く沈降するため、比重の大きいものから順次汚水処理槽の上流側から下流側の槽底１１に沈降する。この槽底１１に沈降する汚泥は、汚泥掻寄機Ａの駆動によりスクレーパＳによって汚泥ピットＰ側へ掻き寄せ、集泥されて汚泥引抜管２にて汚水処理槽１外に引き抜き、排出される。
一方、スカム分は水面に浮遊し、汚泥分、スカム分が分離除去された汚水は、流出樋３から排出されるとともに、復路側で水面位置を移動するスクレーパＳによって水面に浮遊するスカムは掻き寄せられ、スカムスキマＫを介して外部へ排出される。
【００２１】
このように、汚泥掻寄機Ａの駆動により水面に浮遊するスカムは掻き寄せられるが、この一部はスクレーパＳの端部より離れ、汚水処理槽１の壁面側に移動することがある。このとき、駆動チェン４を張架した駆動スプロケットホイール５の外部は、スカム付着防止カバー６により完全に覆われているため、浮遊するスカムはスカム付着防止カバー６の外表面に付着しても、カバー内の駆動チェン４や、該駆動チェン４を張架した駆動スプロケットホイール５に付着するのを防止することができる。
また、このスカム付着防止カバー６にはシール７を介して軸５Ｓを突出するようにしているが、水密的ではないので、スカム付着防止カバー６にスカムは濾過された水が浸入するようになって、このスカム付着防止カバー６内への水循環により駆動チェン４と駆動スプロケットホイール５との噛み合わせによる金属騒音の発生も防止することができる。
また、スカム付着防止カバー６は、３分割できるようになっているので、簡単に駆動スプロケットホイール５を覆うようにしての取り付け、取り外しが簡易に行うことができるとともに、シール７や駆動チェン４の交換も簡易に行うことができる。
【００２２】
【考案の効果】
本考案の汚泥掻寄機によれば、駆動スプロケットホイール及びこれに張架した駆動チェンの外周部を覆うようにしてスカム付着防止カバーを装着しているから、水中に浮遊するスカムが、スクレーパの移動軌跡に沿って移動することにより共に移動するようになっても、該スクレーパの移動軌跡の一部に隣接して配置された駆動スプロケットホイール及び駆動チェンとの直接的な接触が阻止されるため、スカムが駆動スプロケットホイールや駆動チェンに付着することがなく、これにより部品の腐食及び／又は摩耗、さらには異臭発生をも防止でき、また駆動スプロケットホイールや駆動チェンのメンテナンスが簡易に行うことができる。
【００２３】
また、本考案の汚泥掻寄機によれば、駆動スプロケットホイール及びこれに張架した駆動チェンの外周部を覆うようにしてスカム付着防止カバーを装着しているから、水中に浮遊するスカムが、スクレーパの移動軌跡に沿って移動することにより共に移動するようになっても、該スクレーパの移動軌跡の一部に隣接して配置された駆動スプロケットホイール及び駆動チェンとの直接的な接触が阻止されるため、スカムが駆動スプロケットホイールや駆動チェンに付着することがなく、これにより部品の腐食及び／又は摩耗、さらには異臭発生をも防止でき、また駆動スプロケットホイール及びこれに張架した駆動チェンの外周部を覆うように取り付けたスカム付着防止カバーを、３分割できるように構成しているから、駆動スプロケットホイール部分への取り付け、取り外しが簡易に行え、メンテナンスが簡易となり、該カバーに取り付けたシールや、駆動スプロケットホイール及びこれに張架した駆動チェンの交換を簡易に行うことができる。
【００２４】
また、この場合、カバーにシールを配設しているから、カバーより突出する駆動軸との隙間から、スカムがカバー内へ浸入するのを簡単な構成で防止することができる。
【図面の簡単な説明】
【図１】本考案の汚泥掻寄機を示し、（Ａ）は正面図、（Ｂ）は平面図である。
【図２】スカム付着防止カバーの一部破断した側面図である。
【図３】スカム付着防止カバーの分解した正面図で、（Ａ）は上カバー片を、（Ｂ）は下カバー片を、（Ｃ）は半円弧形カバー片をそれぞれ示す。
【図４】本考案の汚泥掻寄機を適用した汚水処理槽の全形を示す正面図である。
【符号の説明】
１　　汚水処理槽
１１　槽底
２　　汚泥引抜管
３　　流出樋
４　　駆動チェン
５　　駆動スプロケットホイール
５Ｓ　軸
６　　スカム付着防止カバー
６１　半円弧形カバー片
６２　上カバー片
６３　下カバー片
７　　シール
８　　ゴム板
Ａ　　汚泥掻寄機
Ｃ　　エンドレス状のチェン
Ｓ　　スクレーパ
Ｐ　　汚泥ピット
Ｋ　　スカムスキマ